(57)【要約】      （修正有）【課題】切迫性失禁などのように大量の排泄液を一気に排出した場合でも、外部への漏出を有効に防ぐ。【解決手段】液体吸収性素材を含む吸収性コアと、吸収性コアよりも肌側に設けられる液透過性の表面シートと、を有する吸収性物品１の本体部１ｓのうちで厚さ方向の非肌側を向いた面には、本体部を下着に取り付けるための粘着部が設けられている。本体部のうちで厚さ方向の肌側を向いた面には、厚さ方向の肌側から表面シート及び吸収性コアの両者を一緒に圧搾してなる複数の圧搾部Ｅがへこんで形成されている。圧搾部として、本体部のうちで長手方向の中央部１ｓＣに設けられた第１圧搾部Ｅ１と、中央部よりも長手方向の端側の部分に設けられた第２圧搾部Ｅ２と、を有する。第１圧搾部の少なくとも一部と粘着部とは、厚さ方向から見た場合に重なっていない。【選択図】図６
2014226458.tif 000002
【特許請求の範囲】
【請求項１】
排泄液を吸収すべく下着に取り付けられて使用され、厚さ方向と幅方向と長手方向とを有する吸収性物品であって、
前記吸収性物品の本体部は、液体吸収性素材を含む吸収性コアと、前記吸収性コアよりも前記厚さ方向の肌側に設けられる液透過性の表面シートと、を有し、
前記本体部のうちで前記厚さ方向の非肌側を向いた面には、前記本体部を前記下着に取り付けるための粘着部が設けられており、
前記本体部のうちで前記厚さ方向の肌側を向いた面には、前記厚さ方向の肌側から前記表面シート及び前記吸収性コアの両者を一緒に圧搾してなる複数の圧搾部がへこんで形成されており、
前記圧搾部として、前記本体部のうちで前記長手方向の中央部に設けられた第１圧搾部と、前記本体部のうちで前記中央部よりも前記長手方向の端側の部分に設けられた第２圧搾部と、を有し、
前記第１圧搾部は、前記幅方向の中央部において前記長手方向に沿って設けられており、
前記第２圧搾部は、前記幅方向に一対並んで設けられているとともに、前記第２圧搾部は、前記長手方向の中央側から端側へ向かうに従って前記幅方向の中央側から端側へ向かうように設けられており、
前記第１圧搾部の少なくとも一部と前記粘着部とは、前記厚さ方向から見た場合に重なっていないことを特徴とする吸収性物品。
【請求項２】
請求項１に記載の吸収性物品であって、
前記一対の第２圧搾部は、前記本体部のうちで前記中央部を挟む前記長手方向の両側の部分にそれぞれ設けられていることを特徴とする吸収性物品。
【請求項３】
請求項１又は２に記載の吸収性物品であって、
前記吸収性コアは、前記厚さ方向の肌側を向いた面に、前記肌側に突出する突出部を有し、
前記突出部は、前記吸収性コアにおける前記長手方向の中央部を囲む環状に形成されており、
前記本体部のうちで前記突出部に囲まれた部分に前記第１圧搾部が設けられていることを特徴とする吸収性物品。
【請求項４】
請求項３に記載の吸収性物品であって、
前記突出部は、前記突出部のうちの前記幅方向の各端部として、前記長手方向に平行な一対の直線状部分を前記幅方向に並んで有し、
前記本体部のうちで前記厚さ方向の肌側を向いた面には、前記長手方向に沿って防漏壁部が設けられているとともに、前記防漏壁部が前記面から起立し始める起立開始位置が、前記本体部のうちで前記直線状部分に対応する位置に設定されていることを特徴とする吸収性物品。
【請求項５】
請求項１乃至４の何れかに記載の吸収性物品であって、
前記本体部は、前記長手方向の一方側を着用者の腹側に対応させつつ、他方側を背側に対応させながら、前記下着に取り付けられ、
前記第１圧搾部の前記長手方向の一方の端の方が、前記第１圧搾部の前記長手方向の他方の端よりも前記本体部の前記長手方向の中央位置から離れていることを特徴とする吸収性物品。
【請求項６】
請求項１乃至５の何れかに記載の吸収性物品であって、
前記本体部には、前記吸収性物品の前記長手方向の寸法が小さくなるように前記吸収性物品を折り畳むための前記幅方向に沿った折り畳み線が、前記長手方向の複数の位置に設定されており、
前記複数の前記折り畳み線のうちの少なくとも一つの折り畳み線は、前記本体部における前記長手方向の中央位置よりも一方側の位置に設定されているとともに、前記複数の前記折り畳み線のうちの少なくとも一つの折り畳み線は、前記本体部における前記長手方向の中央位置よりも他方側の位置に設定されており、
前記複数の前記折り畳み線のなかで前記長手方向の最も一方側に位置する折り畳み線と、前記長手方向の最も他方側に位置する折り畳み線との間に、前記第１圧搾部の全部が収まっていることを特徴とする吸収性物品。
【請求項７】
請求項１乃至６の何れかに記載の吸収性物品であって、
前記第１圧搾部の前記幅方向の両側の位置には、前記圧搾部として更に第３圧搾部が前記長手方向に延びるように設けられていることを特徴とする吸収性物品。
【請求項８】
請求項７に記載の吸収性物品であって、
前記第３圧搾部よりも前記幅方向の中央側の位置には、前記圧搾部として更に第４圧搾部が、前記長手方向の中央側から端側へ向かうに従って前記幅方向の中央側から端側へと延びるように設けられていることを特徴とする吸収性物品。
【請求項９】
請求項１乃至８の何れかに記載の吸収性物品であって、
前記第２圧搾部よりも前記幅方向の中央側の位置であって、前記第２圧搾部の前記長手方向の端部の位置又は当該位置よりも前記長手方向の端側の位置には、前記圧搾部として、更に第５圧搾部が前記幅方向に延びるように設けられていることを特徴とする吸収性物品。
【発明の詳細な説明】
【技術分野】
【０００１】
本発明は、下着に取り付けて使用される尿取りパッドなどの吸収性物品に関する。
【背景技術】
【０００２】
従来、下着に取り付けて経血等の排泄液を吸収する吸収性物品として生理用ナプキンが知られている。このナプキンは、パルプ繊維等の液体吸収性素材で形成された吸収性コアと、吸収性コアを厚さ方向の肌側から覆う液透過性の表面シートと、同コアを非肌側から覆う液不透過性の裏面シートと、を有している。そして、表面シートの肌側面には、肌側から表面シートと吸収性コアとの両者を圧搾してなる圧搾部が形成されており、これにより、表面シートと吸収性コアとが接合一体化されている。なお、この圧搾部は、ナプキンの肌側面上の排泄液の流れる方向をコントロールする機能や、同肌側面の形状をコントロールする機能も有している。
【０００３】
図１Ａは、特許文献１に開示されたナプキン１０１の概略平面図である。また、図１Ｂは、図１Ａ中のＢ−Ｂ断面図及びＤ−Ｄ断面図であり、図１Ｃは、図１Ａ中のＣ−Ｃ断面図である。
【０００４】
図１Ａに示すように、この特許文献１には、かかる圧搾部の一例が開示されている。すなわち、この例では、第１圧搾部Ｅａ，Ｅａが、ナプキン１０１の長手方向の中央部１０１Ｌｃのうちで幅方向の中央線ＣＬＷを挟む両側の位置に、長手方向に沿って形成されている。また、長手方向の各端部１０１Ｌｅ，１０１Ｌｅには、それぞれ各第２圧搾部Ｅｂ，Ｅｂが平面視略Ｖ字形状に形成されている。そして、かかる圧搾部Ｅａ，Ｅａ，Ｅｂ，Ｅｂによれば、ナプキン１に着用者の股締め力Ｆが幅方向の両側から中央側に向けて作用した際には、図１Ｃに示すように、長手方向の中央部１０１Ｌｃでは、断面形状がＷ字形状に折れ曲がり、つまり一対の第１圧搾部Ｅａ，Ｅａではそれぞれ谷折りとなるとともに、一対の第１圧搾部Ｅａ，Ｅａ同士の間の位置では山折りとなるように曲がり、これにより、幅方向の中央部１０１Ｗｃ１が、着用者の肌に密着するようになっている。また、長手方向の各端部１０１Ｌｅ，１０１Ｌｅでも、それぞれ、略Ｖ字形状の第２圧搾部Ｅｂの作用によって、幅方向の中央部１０１Ｗｃ２が山折りに折れ曲がり、これにより、幅方向の中央部１０１Ｗｃ２が、着用者の肌に密着するようになっている。すなわち、特許文献１のナプキン１０１は、圧搾部Ｅａ，Ｅａ，Ｅｂ，Ｅｂの形成パターンを工夫することで、ナプキン１０１の幅方向の中央部１０１Ｗｃ１，１０１Ｗｃ２，１０１Ｗｃ２を、できる限り、着用者の肌から離さないようにしている。
【先行技術文献】
【特許文献】
【０００５】
【特許文献１】特許第５１２９５３６号公報
【発明の概要】
【発明が解決しようとする課題】
【０００６】
ところで、このような生理用ナプキン１０１と同じように下着に取り付けて使用される吸収性物品として、尿取りパッドが挙げられる。そして、尿取りパッドは、排泄液として尿を吸収するが、尿は、経血と比べて一回当たりの排出量が格段に多い。そのため、尿の排出直後に瞬時にその全量を吸収性コアで吸収することができない場合がある。例えば、切迫性失禁などの場合には、大量の尿が一気に排出されるために、全量を瞬時に吸収性コアで吸収することはできない。すると、吸収しきれない分の尿が、幅方向の両側及び長手方向の両側へと一気に流れてしまい、当該尿が、四方から漏れ出す恐れがある。
【０００７】
ここで、仮に、かかる尿取りパッドに対しても上記の特許文献１のような圧搾部Ｅａ，Ｅａ，Ｅｂ，Ｅｂの形成パターンを適用した場合には、上述の四方からの漏出を助長する可能性がある。すなわち、尿取りパッドの幅方向の中央部が着用者の肌に近接しているために、肌と尿取りパッドとの間に、吸収しきれない分の尿を貯留するための空間が形成され難い。よって、この吸収しきれない分の尿は、尿取りパッドの肌側面を伝って一気に幅方向の両側及び長手方向の両側へと漏れ出してしまい得る。
【０００８】
本発明は、上記のような従来の問題に鑑みてなされたものであって、その目的は、切迫性失禁などのように大量の排泄液を一気に排出した場合でも、外部への漏出を有効に防ぐことにある。
【課題を解決するための手段】
【０００９】
上記目的を達成するための主たる発明は、
排泄液を吸収すべく下着に取り付けられて使用され、厚さ方向と幅方向と長手方向とを有する吸収性物品であって、
前記吸収性物品の本体部は、液体吸収性素材を含む吸収性コアと、前記吸収性コアよりも前記厚さ方向の肌側に設けられる液透過性の表面シートと、を有し、
前記本体部のうちで前記厚さ方向の非肌側を向いた面には、前記本体部を前記下着に取り付けるための粘着部が設けられており、
前記本体部のうちで前記厚さ方向の肌側を向いた面には、前記厚さ方向の肌側から前記表面シート及び前記吸収性コアの両者を一緒に圧搾してなる複数の圧搾部がへこんで形成されており、
前記圧搾部として、前記本体部のうちで前記長手方向の中央部に設けられた第１圧搾部と、前記本体部のうちで前記中央部よりも前記長手方向の端側の部分に設けられた第２圧搾部と、を有し、
前記第１圧搾部は、前記幅方向の中央部において前記長手方向に沿って設けられており、
前記第２圧搾部は、前記幅方向に一対並んで設けられているとともに、前記第２圧搾部は、前記長手方向の中央側から端側へ向かうに従って前記幅方向の中央側から端側へ向かうように設けられており、
前記第１圧搾部の少なくとも一部と前記粘着部とは、前記厚さ方向から見た場合に重なっていないことを特徴とする吸収性物品である。  
本発明の他の特徴については、本明細書及び添付図面の記載により明らかにする。
【発明の効果】
【００１０】
本発明によれば、切迫性失禁などのように大量の排泄液を一気に排出した場合でも、外部への漏出を有効に防ぐことができる。
【図面の簡単な説明】
【００１１】
【図１】図１Ａは、特許文献１に開示されたナプキン１０１の概略平面図であり、図１Ｂは、図１Ａ中のＢ−Ｂ断面図及びＤ−Ｄ断面図であり、図１Ｃは、図１Ａ中のＣ−Ｃ断面図である。
【図２】本実施形態に係る吸収性物品としての尿取りパッド１を平面に展開した状態の概略平面図である。
【図３】図３Ａは、図２中のＡ−Ａ断面図であり、図３Ｂは、図２中のＢ−Ｂ断面図であり、図３Ｃは、図２中のＣ−Ｃ断面図である。
【図４】尿取りパッド１を非肌側から見た概略平面図である。
【図５】防漏壁部４０に係る基端部４１ｂの位置を示す尿取りパッド１の概略平面図である。
【図６】尿取りパッド１の概略斜視図であって、同パッド１の本体部１ｓの中央部１ｓＣが非肌側にへこんで、同本体部１ｓがカップ形状になった状態を示す図である。
【図７】図７Ａは、長手方向に四つ折りされた尿取りパッド１の概略側面図であり、図７Ｂは、三つの折り畳み線ＬＢ１，Ｌｂ２，ＬＢ３の位置を示す尿取りパッド１の概略平面図である。
【図８】ずれ止め用粘着部３３の他の例の説明図であって、尿取りパッド１を非肌側から見た概略平面図である。
【図９】図９Ａは、尿取りパッド１のうちで吸収性コア１１以外のものを透視して示す概略平面図であり、図９Ｂ及び図９Ｃは、それぞれ図９Ａ中のＢ−Ｂ断面図及びＣ−Ｃ断面図であって、吸収性コア１１のみを示す図である。
【図１０】本実施形態の第１変形例の尿取りパッド１の概略平面図である。
【図１１】本実施形態の第２変形例の尿取りパッド１の概略平面図である。
【図１２】本実施形態の第３変形例の尿取りパッド１の説明図であって、図２中のＢ−Ｂ断面図に相当する図である。
【発明を実施するための形態】
【００１２】
本明細書及び添付図面の記載により、少なくとも以下の事項が明らかとなる。  
排泄液を吸収すべく下着に取り付けられて使用され、厚さ方向と幅方向と長手方向とを有する吸収性物品であって、
前記吸収性物品の本体部は、液体吸収性素材を含む吸収性コアと、前記吸収性コアよりも前記厚さ方向の肌側に設けられる液透過性の表面シートと、を有し、
前記本体部のうちで前記厚さ方向の非肌側を向いた面には、前記本体部を前記下着に取り付けるための粘着部が設けられており、
前記本体部のうちで前記厚さ方向の肌側を向いた面には、前記厚さ方向の肌側から前記表面シート及び前記吸収性コアの両者を一緒に圧搾してなる複数の圧搾部がへこんで形成されており、
前記圧搾部として、前記本体部のうちで前記長手方向の中央部に設けられた第１圧搾部と、前記本体部のうちで前記中央部よりも前記長手方向の端側の部分に設けられた第２圧搾部と、を有し、
前記第１圧搾部は、前記幅方向の中央部において前記長手方向に沿って設けられており、
前記第２圧搾部は、前記幅方向に一対並んで設けられているとともに、前記第２圧搾部は、前記長手方向の中央側から端側へ向かうに従って前記幅方向の中央側から端側へ向かうように設けられており、
前記第１圧搾部の少なくとも一部と前記粘着部とは、前記厚さ方向から見た場合に重なっていないことを特徴とする吸収性物品である。
【００１３】
このような吸収性物品によれば、下着を装着した着用者から股締め力の如き幅方向の中央側を向いた力が、幅方向の両側から吸収性物品の本体部に付与されると、第１圧搾部及び第２圧搾部に基づいて、本体部は、長手方向及び幅方向の両方向における中央部が非肌側の方にへこんだカップ形状に変形する。そして、これにより、上記中央部については股間から離れるが、上記中央部以外の部分、つまり本体部のうちの長手方向の端部及び幅方向の各端部については、それぞれ着用者の下腹部又は臀部、股間に密着した状態になって、本体部は、股間と協同して略閉じた空間を区画する。よって、切迫性失禁などで大量の排泄液が一気に排出された際にも、吸収性コアで瞬時に吸収し切れない分の排泄液を上記空間で一時貯留しておくことができる。すなわち、吸収性コアが排泄液を吸収し終えるまで本体部から排泄液が漏出しないように、当該吸液時間分の時間稼ぎをすることができて、結果、長手方向及び幅方向からの排泄液の漏出を有効に防ぐことができる。
【００１４】
ちなみに、上記の第１圧搾部及び第２圧搾部に基づいて、本体部がカップ形状になる理由は、次の通りである。先ず、下着に取り付けられた吸収性物品の本体部に、着用者の股間から幅方向の中央側を向いた力が、幅方向の両側から作用すると、本体部は、第１圧搾部に起因して幅方向の中央部で非肌側にへこむように谷折りになる。一方、当該中央部よりも長手方向の端側の部分には、一対の第２圧搾部が設けられているが、当該一対の第２圧搾部は、その略Ｖ字形状に基づいて、長手方向の端側に向かうに従って第２圧搾部同士の間隔が徐々に開いている。そのため、上記の長手方向の端側の部分では、第１圧搾部起因の谷折りの影響が、長手方向の端側に向かうに従って徐々に緩和されていき、これにより、この第２圧搾部よりも長手方向の端側の部分は、概ね長手方向と幅方向とで規定される平面に沿った平面状になる。そして、その結果として、上記中央部以外の部分、つまり本体部の長手方向の端部及び幅方向の各端部については、それぞれ着用者の下腹部又は臀部、股間に密着しつつ、上記中央部については股間から離れた形状に変形して、つまり、本体部はカップ状になる。
【００１５】
また、第１圧搾部の少なくとも一部と、下着に取り付けるための粘着部とは、厚さ方向から見た場合に重ならないように配置されている。よって、粘着部を介して下着と第１圧搾部の部分とが一体化されることに起因した第１圧搾部での曲げ剛性の不必要な向上を有効に抑制することができる。そして、その結果、股締め力が本体部に付与された際に、速やか且つ確実に第１圧搾部で谷折りに折れ曲がることができて、このことも上記のカップ形状の形成に有効に寄与する。
【００１６】
かかる吸収性物品であって、
前記一対の第２圧搾部は、前記本体部のうちで前記中央部を挟む前記長手方向の両側の部分にそれぞれ設けられているのが望ましい。
【００１７】
このような吸収性物品によれば、本体部のうちで長手方向の中央部を挟む両側の部分にそれぞれ一対の第２圧搾部が設けられているので、本体部のうちの長手方向の各端部をそれぞれ、長手方向と幅方向とで規定される平面に沿った平面状にすることができる。そして、これにより、本体部を上記のカップ形状に確実に変形可能となる。
【００１８】
かかる吸収性物品であって、
前記吸収性コアは、前記厚さ方向の肌側を向いた面に、前記肌側に突出する突出部を有し、
前記突出部は、前記吸収性コアにおける前記長手方向の中央部を囲む環状に形成されており、
前記本体部のうちで前記突出部に囲まれた部分に前記第１圧搾部が設けられているのが望ましい。
【００１９】
このような吸収性物品によれば、第１圧搾部などに基づいて本体部がカップ形状になることに加え、吸収性コアの環状の突出部も、着用者から排出される排泄液の堰き止めに威力を発揮し得る。よって、切迫性失禁などで大量の排泄液が一気に排出された際の防漏性を更に高めることができる。
【００２０】
かかる吸収性物品であって、
前記突出部は、前記突出部のうちの前記幅方向の各端部として、前記長手方向に平行な一対の直線状部分を前記幅方向に並んで有し、
前記本体部のうちで前記厚さ方向の肌側を向いた面には、前記長手方向に沿って防漏壁部が設けられているとともに、前記防漏壁部が前記面から起立し始める起立開始位置が、前記本体部のうちで前記直線状部分に対応する位置に設定されているのが望ましい。
【００２１】
このような吸収性物品によれば、突出部は、長手方向に平行な一対の直線状部分を幅方向に並んで有している。よって、着用者が下着に吸収性物品を取り付ける際に、同吸収性物品を、適正位置から長手方向のずれた位置に取り付けた場合であっても、一対の直線状部分が奏し得る幅方向の堰き止め効果は概ね変化せず、これにより、かかる場合にも、突出部は、所期の防漏性を奏することができる。
【００２２】
また、本体部のうちで肌側を向いた面には防漏壁部が設けられており、この防漏壁部の起立開始位置が、吸収性コアの突出部の直線状部分に対応する位置に設定されている。よって、防漏壁部と直線状部分とが互い協同して、これらは高い堰として機能することができて、このことも、幅方向からの排泄液の防漏性の向上に寄与する。
【００２３】
かかる吸収性物品であって、
前記本体部は、前記長手方向の一方側を着用者の腹側に対応させつつ、他方側を背側に対応させながら、前記下着に取り付けられ、
前記第１圧搾部の前記長手方向の一方の端の方が、前記第１圧搾部の前記長手方向の他方の端よりも前記本体部の前記長手方向の中央位置から離れているのが望ましい。
【００２４】
このような吸収性物品によれば、本体部のうちで着用者の排尿器が対向すべき一方側の部分に偏って第１圧搾部が形成された状態になっている。そのため、一方側の部分には、非肌側にへこんだ空間が形成され易く、これにより、排尿器から排出される尿を速やかに一時貯留可能となる。また、上記の第１圧搾部の形成位置の一方側への偏りに基づいて、他方側の部分には、非肌側にへこんだ空間は形成され難く、つまり、当該他方側の部分は、長手方向と幅方向とで規定される平面に沿った平面状になり易い。よって、当該他方側の部分については、着用者の臀部にしっかりと沿わせることができる。
【００２５】
かかる吸収性物品であって、
前記本体部には、前記吸収性物品の前記長手方向の寸法が小さくなるように前記吸収性物品を折り畳むための前記幅方向に沿った折り畳み線が、前記長手方向の複数の位置に設定されており、
前記複数の前記折り畳み線のうちの少なくとも一つの折り畳み線は、前記本体部における前記長手方向の中央位置よりも一方側の位置に設定されているとともに、前記複数の前記折り畳み線のうちの少なくとも一つの折り畳み線は、前記本体部における前記長手方向の中央位置よりも他方側の位置に設定されており、
前記複数の前記折り畳み線のなかで前記長手方向の最も一方側に位置する折り畳み線と、前記長手方向の最も他方側に位置する折り畳み線との間に、前記第１圧搾部の全部が収まっているのが望ましい。
【００２６】
このような吸収性物品によれば、第１圧搾部は、最も一方側に位置する折り畳み線及び最も他方側に位置する折り畳み線の両者の影響をほぼ受けない。そのため、着用者の股締め力の如き力が幅方向の両側から吸収性物品の本体部に付与された際に、本体部のうちの長手方向の中央部については、第１圧搾部に基づいて速やかに谷折りに折れ曲がり、これにより、同本体部は、股間と協同して略閉じた空間を速やかに区画形成する。一方、最も一方側に位置する折り畳み線よりも長手方向の端側の部分、及び最も他方側に位置する折り畳み線よりも長手方向の端側の部分は、それぞれ、最寄りの各折り畳み線に基づいて第１圧搾部の谷折りの影響を受け難いので、速やかに、長手方向と幅方向とで規定される平面に沿った平面状になる。そして、これにより、当該各端側の部分を、それぞれ着用者の下腹部及び臀部にしっかりと沿わせることが可能となる。
【００２７】
かかる吸収性物品であって、
前記第１圧搾部の前記幅方向の両側の位置には、前記圧搾部として更に第３圧搾部が前記長手方向に延びるように設けられているのが望ましい。
【００２８】
このような吸収性物品によれば、第１圧搾部に加えて、第３圧搾部でも谷折りに折れ曲がる。よって、主に第１圧搾部の谷折りに基づいて非肌側にへこんでなる形状を、複数の谷折りで多段に折れ曲がった緩やかなへこみ形状にすることができて、その結果、本体部における幅方向の各端部を、着用者の股間に沿わせ易くなる。
【００２９】
かかる吸収性物品であって、
前記第３圧搾部よりも前記幅方向の中央側の位置には、前記圧搾部として更に第４圧搾部が、前記長手方向の中央側から端側へ向かうに従って前記幅方向の中央側から端側へと延びるように設けられているのが望ましい。
【００３０】
このような吸収性物品によれば、第１圧搾部及び第３圧搾部に加えて、第４圧搾部でも谷折りに折れ曲がる。よって、主に第１圧搾部及び第３圧搾部の谷折りに基づいて非肌側にへこんでなる形状を、更に多くの谷折りで多段に折れ曲がった緩やかなへこみ形状にすることができて、その結果、本体部における幅方向の各端部を、着用者の股間に沿わせ易くなる。
【００３１】
かかる吸収性物品であって、
前記第２圧搾部よりも前記幅方向の中央側の位置であって、前記第２圧搾部の前記長手方向の端部の位置又は当該位置よりも前記長手方向の端側の位置には、前記圧搾部として、更に第５圧搾部が前記幅方向に延びるように設けられているのが望ましい。
【００３２】
このような吸収性物品によれば、幅方向に延びる第５圧搾部で本体部が折れ曲がることにより、本体部のうちで第５圧搾部よりも長手方向の端側の部分を、長手方向と幅方向とで規定される平面に沿った平面状にすることができる。よって、当該端側の部分を確実に着用者の下腹部又は臀部にしっかりと沿わせることができる。
【００３３】
＝＝＝本実施形態＝＝＝
図２は、本実施形態に係る吸収性物品としての尿取りパッド１を平面に展開した状態の概略平面図である。また、図３Ａは、図２中のＡ−Ａ断面図であり、図３Ｂは、図２中のＢ−Ｂ断面図であり、図３Ｃは、図２中のＣ−Ｃ断面図である。
【００３４】
図２に示すように、尿取りパッド１は、互いに直交する三方向として長手方向と幅方向と厚さ方向とを有する。そして、尿取りパッド１の長手方向と幅方向とで規定される平面形状は、縦長形状の一例として略長方形をなしている。  
なお、以下では、厚さ方向に関して、人体に接触する側のことを「肌側」とも言い、下着に接する側のことを「非肌側」とも言う。また、長手方向のことを「前後方向」とも言い、幅方向のことを「左右方向」とも言う。なお、人体への装着時には、尿取りパッド１の長手方向の前側は、人体の腹側を向き、後側は、人体の背側を向く。また、尿取りパッド１の長手方向の寸法は、幅方向の寸法よりも長く、幅方向の寸法は厚さ方向の寸法よりも長くなっている。
【００３５】
図２及び図３Ｂに示すように、尿取りパッド１は、使用時に下着に取り付けられる本体部１ｓを有する。本体部１ｓは、尿を吸収する液体吸収性素材で形成された吸収性コア１１と、吸収性コア１１を厚さ方向の肌側から覆う液透過性の表面シート２１と、同コア１１を非肌側から覆う液不透過性の裏面シート３１と、を有する。
【００３６】
吸収性コア１１は、例えば二種類の液体吸収性素材として液体吸収性繊維と液体吸収性粒状物とが混合されてなる混合物を、所定形状の一例として略矩形平板形状に成形したものである。この例では、液体吸収性繊維としてパルプ繊維を使用し、また液体吸収性粒状物として高吸収性ポリマー（以下、ＳＡＰとも言う）を用いているが、何等これに限らない。例えば前者の液体吸収性繊維として、コットン等のセルロース、レーヨン等の再生セルロース、アセテート等の半合成セルロースなどを用いても良く、また後者の液体吸収性粒状物として、ＳＡＰ以外の液体吸収性の粒状物を用いても良い。
【００３７】
また、この例では、かかる液体吸収性繊維とＳＡＰとが、１：１の配合比（重量比）で混合されているが、これ以外の配合比でも良く、更には、どちらか一方だけを含んでいても良い。また、上記の二種類の液体吸収性素材に加えて、或いはどちらか一方に代えて、別種の液体吸収性素材が混合されていても良い。また、この例では、吸収性コア１１は、ティッシュペーパー等の液透過性シートで被覆されていないが、被覆されていても良い。更に、この例では、設けていないが、吸収性コア１１と表面シート２１との間に、液透過性のセカンドシートとして、適宜な不織布又はティッシュペーパー等を介挿しても良い。  
ちなみに、本実施形態の工夫の一つとして、この吸収性コア１１の形状が挙げられるが、これについては後述する。
【００３８】
図２及び図３Ｂに示すように、表面シート２１は、人体から排泄された尿を受け止めて速やかに厚さ方向に吸い込んで吸収性コア１１へと導くものであり、例えば吸収性コア１１の平面形状よりも大きな略長方形のシートが使用される。この表面シート２１の素材には、例えばエアスルー不織布やスパンボンド不織布等の不織布が使用され、不織布の構成繊維としては、例えばポリエチレンやポリエチレンテレフタレート等の熱可塑性樹脂繊維が用いられる。また、表面シート２１の肌側面には、厚さ方向の肌側から表面シート２１及び吸収性コア１１の両者が一緒に圧搾されてなる圧搾部Ｅが形成されており、これにより、表面シート２１と吸収性コア１１との両者は接合一体化されている。なお、この圧搾部Ｅの形成パターンも、本実施形態の工夫の一つをなすので、これについても後述する。
【００３９】
図４に、尿取りパッド１を非肌側から見た概略平面図を示す。図４及び図３Ｂに示すように、裏面シート３１は、尿取りパッド１の本体部１ｓの非肌側からの尿漏れを防止する防漏シート３１であり、その平面形状は、吸収性コア１１よりも大きな略長方形形状である。すなわち、その外周縁部は、全周に亘って吸収性コア１１よりも外方にはみ出している。そして、この裏面シート３１に吸収性コア１１を載せた状態で、例えば長手方向の各端部及び幅方向の各端部にて表面シート２１と熱溶着等で接合され、これにより、裏面シート３１と表面シート２１との間に吸収性コア１１が保持されている。なお、この裏面シート３１と表面シート２１との間に吸収性コア１１が保持された状態のものが、前述した尿取りパッド１の本体部１ｓに相当する。かかる裏面シート３１の素材としては、例えばポリエチレンやポリエチレンテレフタレート等の熱可塑性樹脂を素材とするフィルムなどが使用される。
【００４０】
また、裏面シート３１の非肌側面には、下着に尿取りパッド１を移動不能に取り付けるためのずれ止め用粘着部３３，３３が形成されている。このずれ止め用粘着部３３，３３の形成は、例えば裏面シート３１の非肌側面の所定位置にホットメルト系接着剤を塗布することでなされるが、このずれ止め用粘着部３３，３３の形成位置も、本実施形態の工夫の一つをなすので、これについても後述する。
【００４１】
図２及び図３Ｂに示すように、尿取りパッド１の本体部１ｓには、幅方向の端側への尿漏れを防ぐ目的で、吸収性コア１１の幅方向の各端部に対応させて、一対の防漏壁部４０，４０が設けられている。一対の防漏壁部４０，４０は、それぞれ、撥水処理等されたＳＭＳ不織布等からなるサイドシート４１，４１によって形成されている。各サイドシート４１，４１は、長手方向に沿って表面シート２１の幅方向の各端部を肌側から覆って設けられている。そして、吸収性コア１１の幅方向の各端部に対応する位置で、表面シート２１に熱溶着等で固定されており、これにより、基端部４１ｂが形成されている。なお、この基端部４１ｂから幅方向の略中央側に延びる部分４１ｆは、自由端部分４１ｆであり、つまり当該部分４１ｆが基本的に防漏壁部４０となる。一方、同基端部４１ｂから幅方向の端側に延びる部分４１ｓは、尿取りパッド１の幅方向の端縁にまで至っており、そして、かかる部分は、表面シート２１又は裏面シート３１に重ね合わせられて、同端縁で、熱溶着等で表面シート２１又は裏面シート３１に接合されている。
【００４２】
ここで、自由端部分４１ｆには、長手方向に沿った糸ゴム等の弾性部材４５が伸長状態でホットメルト系接着剤により固定されている。よって、表面シート２１側が内周側となるように尿取りパッド１を長手方向に湾曲させると、弾性部材４５が長手方向に収縮して当該収縮力が自由端部分４１ｆに付与されるが、そうすると、自由端部分４１ｆは長手方向に収縮して表面シート２１から起立して、これにより同自由端部分４１ｆは防漏壁部４０として機能する。なお、図３Ｂの例では、自由端部分４１ｆ及び基端部４１ｂが、折り返しにより二枚重ねのサイドシート４１で構成されており、そして、自由端部分４１ｆの二枚重ねの間に弾性部材４５が介挿されているが、何等これに限らない。
【００４３】
また、図５の概略平面図中においては、基端部４１ｂをハッチングで示しているが、この例では、基端部４１ｂの幅方向の大きさは、長手方向の前端部４１ｂ１と後端部４１ｂ２とについては広く設定されているが、これら前端部４１ｂ１と後端部４１ｂ２との間の中間部４１ｂ３については、幅方向の中央側がえぐれたように狭く設定されている。そして、これにより、防漏壁部４０の起立高さを中間部４１ｂ３にて優先的に高くして、尿の堰き止め作用の最適化を図っているが、何等これに限らない。例えば、基端部４１ｂの幅方向の大きさが、長手方向の全長に亘って一定幅とされていても良い。
【００４４】
また、図２、図３Ａ、及び図３Ｃに示すように、自由端部分４１ｆのうちの前端部４１ｆａ及び後端部４１ｆｂは、基端部４１ｂ上に伏せられた状態で、ホットメルト系接着剤等により同基端部４１ｂに接合固定されており、これにより、前端部４１ｆａ及び後端部４１ｆｂは、起立しない未起立部とされている。よって、弾性部材４５の収縮力は、専ら、自由端部分４１ｆのうちの前端部４１ｆａと後端部４１ｆｂとの間に存在する中間部分４１ｆｍのみに選択的に付与されて、当該中間部分４１ｆｍが収縮して防漏壁部４０として起立するようになっている。
【００４５】
以上、本実施形態の尿取りパッド１の基本構成について説明してきたが、本実施形態の尿取りパッド１は、種々の工夫に基づいて、切迫性失禁等の大量の尿の排出に対する防漏性が高められており、以下では、その工夫について説明する。
【００４６】
先ず、表面シート２１の圧搾部Ｅに対してなされた工夫について説明する。図２を参照して既述のように、表面シート２１の肌側面には、厚さ方向の肌側から表面シート２１及び吸収性コア１１の両者が一緒に圧搾されてなる圧搾部Ｅが形成されている。  
すなわち、尿取りパッド１の本体部１ｓのうちで長手方向の中央部１ｓＬｃには、第１圧搾部Ｅ１が形成されており、また、同本体部１ｓのうちで上記中央部１ｓＬｃよりも前側の部分１ｓＬｅ（「中央部よりも長手方向の端側の部分」に相当）及び後側の部分１ｓＬｅ（「中央部よりも長手方向の端側の部分」に相当）には、それぞれ第２圧搾部Ｅ２，Ｅ２が形成されている。
【００４７】
ここで、第１圧搾部Ｅ１は、幅方向の中央部１ｓＷｃにおいて長手方向に沿って一直線上に形成されている。一方、第２圧搾部Ｅ２，Ｅ２は、幅方向の中央線ＣＬＷを挟むように、幅方向に一対並んで設けられているとともに、各第２圧搾部Ｅ２，Ｅ２は、それぞれ、長手方向の中央側から端側へ向かうに従って幅方向の中央側から端側へ向かうように形成されている。詳しくは、一対の第２圧搾部Ｅ２，Ｅ２のうちの一方の第２圧搾部Ｅ２は、幅方向の中央線ＣＬＷよりも幅方向の一方側部分たる左半部に形成されているとともに、長手方向の中央側から端側へ向かうに従って幅方向の中央側から左側へ向かうように形成されている。また、もう一方の第２圧搾部Ｅ２は、幅方向の中央線ＣＬＷよりも幅方向の他方側部分としての右半部に形成されているとともに、長手方向の中央側から端側へ向かうに従って幅方向の中央側から右側へ向かうように形成されている。
【００４８】
そして、このような第１圧搾部Ｅ１及び第２圧搾部Ｅ２，Ｅ２が形成されていれば、下着を装着した着用者から股締め力の如き幅方向の中央側を向いた力Ｆが、幅方向の両側から尿取りパッド１の本体部１ｓに付与された際に、当該本体部１ｓは、図６の概略斜視図に示すようなカップ形状に変形する。すなわち、長手方向及び幅方向の両方向における中央部１ｓＣが、非肌側にへこんだ形状になる。そして、これにより、上記中央部１ｓＣについては股間から離れるが、当該中央部１ｓＣ以外の部分、つまり本体部１ｓのうちの長手方向の前端部１ｓＬｅｅ、後端部１ｓＬｅｅ、及び幅方向の各端部１ｓＷｅｅ，１ｓＷｅｅについては、それぞれ着用者の下腹部、臀部、及び股間に密着した状態になる。すなわち、本体部１ｓは、股間と協同して略閉じた空間を区画する。よって、当該空間に、切迫性失禁などで吸収性コア１１が瞬時に吸収し切れない分の尿を確実に一時貯留することができて、その結果、尿取りパッド１の防漏性を格段に高めることができる。
【００４９】
ちなみに、上記の第１圧搾部Ｅ１及び第２圧搾部Ｅ２，Ｅ２に基づいて、本体部１ｓがカップ形状になり易い理由は、次の通りである。  
先ず、下着に取り付けられた尿取りパッド１の本体部１ｓに、着用者の股間から幅方向の中央側を向いた力Ｆ（図２）が、幅方向の両側から作用すると、図６に示すように、本体部１ｓは、第１圧搾部Ｅ１に起因して幅方向の中央部１ｓＣが非肌側にへこむように谷折りになる。  
一方、当該中央部１ｓＣよりも長手方向の前側の部分１ｓＬｅ及び後側の部分１ｓＬｅには、それぞれ一対の第２圧搾部Ｅ２，Ｅ２が設けられているが、当該一対の第２圧搾部Ｅ２，Ｅ２は、その略Ｖ字形状に基づいて、長手方向の端側に向かうに従って第２圧搾部Ｅ２，Ｅ２同士の間隔が徐々に開いている。そのため、これら前側の部分１ｓＬｅ及び後側の部分１ｓＬｅでは、第１圧搾部Ｅ１起因の谷折りの影響が、長手方向の端側に向かうに従って徐々に緩和されていき、これにより、一対の第２圧搾部Ｅ２，Ｅ２よりも長手方向の端側の部分たる前端部１ｓＬｅｅ及び後端部１ｓＬｅｅ（図６）は、概ね長手方向と幅方向とで規定される平面に沿った平面状になる。そして、その結果として、上記中央部１ｓＣ以外の部分、つまり本体部１ｓの長手方向の前端部１ｓＬｅｅ、後端部１ｓＬｅｅ、及び幅方向の各端部１ｓＷｅｅ，１ｓＷｅｅについては、それぞれ着用者の下腹部、臀部、及び股間に密着しつつ、上記中央部１ｓＣについては股間から離れた形状に本体部１ｓは変形する。つまり、本体部１ｓはカップ形状になる。
【００５０】
なお、この例では、図２に示すように、第１圧搾部Ｅ１は、長手方向に長い複数（図２では三つ）の溝部Ｈ１，Ｈ１，Ｈ１を有し、各溝部Ｈ１は、幅方向の中央線ＣＬＷ上に一直線に並びつつ、長手方向に隣り合う溝部Ｈ１との間に間隔をあけた状態に形成されている。他方、第２圧搾部Ｅ２は、全長に亘って一本の連続した溝部の形態で形成されている。そして、第１圧搾部Ｅ１及び第２圧搾部Ｅ２のどちらの溝部も、詳細には図示していないが、それぞれ、深さが互いに異なる深部と浅部とを有している。  
但し、第１圧搾部Ｅ１及び第２圧搾部Ｅ２の形態は、何等上記に限らない。例えば、溝部の深さが、全長に亘って一定であっても良い。また、場合によっては、第１圧搾部Ｅ１の方が、一本の連続した長尺な溝部として形成され、第２圧搾部Ｅ２の方が、複数の短尺な溝部が離散的に並んだものとして形成されていても良い。更には、第１圧搾部Ｅ１及び第２圧搾部Ｅ２が、複数の島状のへこみ部で形成されていても良く、そして、各へこみ部の底面の形状は、円形や矩形であっても良い。
【００５１】
また、この図２の例では、既述のように、第１圧搾部Ｅ１が、互いに非連続な複数（三つ）の溝部Ｈ１，Ｈ１，Ｈ１で形成されていたが、このようにしている理由は、次の通りである。先ず第１圧搾部Ｅ１を圧搾形成すると、当該圧搾処理に起因して、第１圧搾部Ｅ１及びその近傍部分が硬直化して、本体部１ｓが長手方向に湾曲し難くなり、その結果、着用者の股間に沿わせて湾曲させる際に必要な柔軟性を大きく損ねてしまう。また、第１圧搾部Ｅ１の底部は、同圧搾処理に起因して溶融等にしてフィルム化するので、尿の吸収性が大幅に低下してしまうが、このような第１圧搾部Ｅ１が長く連続して形成されていると、吸収性の低い部分が広範囲に亘って生じてしまう。  
この点につき、上記のように、第１圧搾部Ｅ１を非連続な複数の溝部Ｈ１，Ｈ１，Ｈ１で形成しておけば、長手方向に隣り合う溝部Ｈ１，Ｈ１同士の間の部分は、溝部Ｈ１が非形成であるので、この非形成の部分で、本体部１ｓは長手方向に柔軟に湾曲することができる。すなわち、本体部１ｓの硬直化を抑えて、これにより、着用者の股間の形状に追従させて本体部１ｓを柔軟に湾曲可能となる。また、上記の非形成の部分は、フィルム化していないので、当該部分では、本来の吸収性を発揮し得て、これにより、尿の吸収阻害も有効に抑制される。
【００５２】
また、図２に示すように、この例では、第１圧搾部Ｅ１と第２圧搾部Ｅ２とは、互いの間に間隔を有した非連続状態とされているが、これら第１圧搾部Ｅ１と第２圧搾部Ｅ２とが非連続にされることによっても、上述と同様の理由から、圧搾部Ｅ起因の硬直化の抑制作用及び吸収阻害の抑制作用の両者を奏することができる。
【００５３】
ちなみに、かかる非連続の場合には、望ましくは、同図２に示すように、第２圧搾部Ｅ２は、その外挿線ＬＥ２が第１圧搾部Ｅ１の溝部Ｈ１と交差するように第１圧搾部Ｅ１に近接配置されていると良い。そして、このような位置関係に配置されていれば、略Ｖ字形状の一対の第２圧搾部Ｅ２，Ｅ２は、本体部１ｓに対して前述のカップ形状の形成をより強力に促すようになる。すなわち、図６の第１圧搾部Ｅ１による谷折りの影響が本体部１ｓの前端部１ｓＬｅｅ及び後端部１ｓＬｅｅにまで及ぶことを、一対の第２圧搾部Ｅ２，Ｅ２によって有効に抑制できて、その結果、前端部１ｓＬｅｅ及び後端部１ｓＬｅｅは、それぞれ、速やかに、長手方向と幅方向とで規定される平面に沿った平面状になる。
【００５４】
ところで、かかる尿取りパッド１は、梱包の際に、その長手方向の寸法を小さくする目的で、肌側面が内周側となるように四つ折りされる。図７Ａは、かかる四つ折り状態の尿取りパッド１の概略側面図である。また、図７Ｂは、四つ折りするために本体部１ｓに設定された折り畳み線ＬＢ１，Ｌｂ２，ＬＢ３の位置を示す尿取りパッド１の概略平面図である。
【００５５】
図７Ｂに示すように、本体部１ｓの肌側面には、尿取りパッド１を長手方向に折り畳むための幅方向に沿った折り畳み線ＬＢ１，Ｌｂ２，ＬＢ３が、長手方向の三つの位置に設定されている。そして、これら三つの折り畳み線ＬＢ１，Ｌｂ２，ＬＢ３のうちの少なくとも一つの折り畳み線ＬＢ３は、本体部１ｓにおける長手方向の中央位置ＣＬＬよりも前側の位置（「一方側の位置」に相当）に設定されているとともに、三つの折り畳み線ＬＢ１，Ｌｂ２，ＬＢ３のうちの少なくとも一つの折り畳み線ＬＢ１は、本体部１ｓにおける長手方向の中央位置ＣＬＬよりも後側の位置（「他方側の位置」に相当）に設定されている。
【００５６】
ここで、本実施形態では、三つの折り畳み線ＬＢ１，Ｌｂ２，ＬＢ３のなかで長手方向の最も前側に位置する折り畳み線ＬＢ３と、長手方向の最も後側に位置する折り畳み線ＬＢ１との間に、上記の第１圧搾部Ｅ１をなす全部の溝部Ｈ１，Ｈ１，Ｈ１が収まる仕様にしている。そして、これにより、第１圧搾部Ｅ１は、最も前側に位置する折り畳み線ＬＢ３及び最も後側に位置する折り畳み線ＬＢ１の両者の影響をほぼ受けないようにされている。
【００５７】
そのため、着用者の股締め力Ｆ（図２）が幅方向の両側から尿取りパッド１の本体部１ｓに付与された際に、本体部１ｓのうちの長手方向の中央部１ｓＬｃについては、第１圧搾部Ｅ１に基づいて速やか且つ確実に谷折りに折れ曲がり、これにより、同本体部１ｓは、股間と協同して略閉じた空間を確実に区画する。一方、最も前側に位置する折り畳み線ＬＢ３よりも長手方向の端側の部分たる前端部１ｓＬｅｅ、及び最も後側に位置する折り畳み線ＬＢ１よりも長手方向の端側の部分たる後端部１ｓＬｅｅは、それぞれ、最寄りの各折り畳み線ＬＢ３，ＬＢ１に基づいて第１圧搾部Ｅ１の谷折りの影響を受け難いので、速やかに、長手方向と幅方向とで規定される平面に沿った平面状になる。そして、これにより、これら前端部１ｓＬｅｅ及び後端部１ｓＬｅｅを、それぞれ着用者の下腹部及び臀部に確実に沿わせることが可能となる。
【００５８】
次に、ずれ止め用粘着部３３に対してなされた工夫について説明する。図４に示すように、このずれ止め用粘着部３３は、裏面シート３１の非肌側面における所定範囲に塗布されたホットメルト系接着剤である。そして、図４の例では、幅方向の左右に一対の帯状のずれ止め用粘着部３３，３３が、幅方向の中央線ＣＬＷを挟むように所定間隔を隔てつつ、裏面シート３１の前端部から後端部までに亘って連続して形成されている。  
ここで、本実施形態では、一対のずれ止め用粘着部３３，３３は、それぞれ、本体部１ｓの幅方向の中央位置ＣＬＷを避けて設けられており、これにより、厚さ方向から本体部１ｓを見た場合に、一対のずれ止め用粘着部３３，３３は、第１圧搾部Ｅ１の全部と全く重らないように配されている。よって、ずれ止め用粘着部３３，３３を介して下着と第１圧搾部Ｅ１の部分とが一体化されることに起因した第１圧搾部Ｅ１での曲げ剛性の不必要な向上を有効に抑制することができる。そして、その結果、股締め力Ｆが本体部１ｓに付与された際に、同本体部１ｓは、速やか且つ確実に第１圧搾部Ｅ１で谷折りに折れ曲がることができて、このことも上記のカップ形状の形成に有効に寄与する。
【００５９】
但し、必ずしも第１圧搾部Ｅ１の全部が、ずれ止め用粘着部３３と重ならないようになっていなくても良い。例えば、第１圧搾部Ｅ１の一部だけが、ずれ止め用粘着部３３と重ならないようになっていても、相応の曲げ剛性の向上の抑制効果を得ることができるので、第１圧搾部Ｅ１の少なくとも一部が重ならないようになっていれば良い。  
図８は、その一例の説明図であって、尿取りパッド１を非肌側から見た概略平面図である。この例では、第１圧搾部Ｅ１は、複数の一例として五つの溝部Ｈ１，Ｈ１…から構成されており、また、ずれ止め用粘着部３３は、中央部の無い平面視額縁形状に形成されている。そして、これにより、上記の五つの溝部Ｈ１，Ｈ１…のうちの長手方向の中央に位置する三つの溝部Ｈ１，Ｈ１，Ｈ１に対しては、ずれ止め用粘着部３３は重なっていないが、その前後の隣に位置する各溝部Ｈ１，Ｈ１に対しては、ずれ止め用粘着部３３は重なっている。よって、少なくとも長手方向の中央部１ｓＬｃについては曲げ剛性が向上されていないため、第１圧搾部Ｅ１にて本体部１ｓを谷折りにする際には、少なくとも中央部１ｓＬｃでは、速やかに谷折りに折れ曲がる。
【００６０】
次に、吸収性コア１１に対してなされた工夫について説明する。図９Ａは、尿取りパッド１のうちで吸収性コア１１以外のものを透視して示す概略平面図である。また、図９Ｂ及び図９Ｃは、それぞれ図９Ａ中のＢ−Ｂ断面図及びＣ−Ｃ断面図であり、どちらの図も吸収性コア１１のみを示している。
【００６１】
既述のように吸収性コア１１の平面形状は略長方形である。しかし、図９Ａ乃至図９Ｃに示すように、この吸収性コア１１は、その肌側面に、肌方向に突出した突出部１１Ｐを有しており、しかも、かかる突出部１１Ｐは、吸収性コア１１の肌側面の外周縁部の全周に亘って連続して形成されている。そして、これにより、突出部１１Ｐは、吸収性コア１１における長手方向の中央部１１Ｃを囲むように環状に形成されている。
【００６２】
よって、切迫性失禁などで大量の尿が一気に排出された場合には、吸収性コア１１で瞬時に吸収し切れない分の尿を、環状の突出部１１Ｐで有効に堰き止めることができる。すなわち、突出部１１Ｐで囲まれた空間ＳＰ１１に、尿を一時貯留しておくことができる。そして、これにより、吸収性コア１１が尿を吸収し終えるまで尿取りパッド１の本体部１ｓから尿が漏出しないように、当該吸収時間分の時間稼ぎをすることができる。
【００６３】
また、突出部１１Ｐは吸収性コア１１の外周縁部に沿って形成されているので、同突出部１１Ｐに囲まれた空間ＳＰ１１は、長手方向の中央位置ＣＬＬの両側たる前側及び後側にそれぞれ連続して広く形成されている。すなわち、同空間ＳＰ１１は、吸収性コア１１において長手方向の前端部から後端部までに亘って連続して存在している。そして、排出後の尿が当該空間ＳＰ１１を流れることによって、この尿を比較的短時間のうちに長手方向の広い範囲に拡散する。また、かかる拡散後には、尿は、自身が流れ着いた位置の吸収性コア１１の部分に順次吸収される。そのため、全体として尿の吸収に寄与し得る吸収性コア１１の吸液面積の拡大を図れて、その結果、単位時間当たりの吸収量を大きくすることができて、このことも、上述の切迫性失禁に対する防漏性の向上に寄与する。
【００６４】
更に、尿取りパッド１の本体部１ｓのうちで突出部１１Ｐに囲まれた部分に、上記の第１及び第２圧搾部Ｅ１，Ｅ２が設けられている。よって、第１及び第２圧搾部Ｅ１，Ｅ２に基づいて本体部１ｓがカップ形状になることに加え、吸収性コア１１の環状の突出部１１Ｐも、着用者から排出される尿の堰き止めに威力を発揮し得て、その結果、切迫性失禁に対する防漏性を大幅に高めることができる。
【００６５】
更に、図９Ａに示すように、環状の突出部１１Ｐのうちで長手方向の前側の半部と後側の半部とは互いにほぼ同形状になっている。よって、下着に尿取りパッド１を取り付ける際に、着用者が、尿取りパッド１の長手方向の前側と後側とを取り違えて、本来の向きと逆に尿取りパッド１を取り付けてしまった場合であっても、上記の長手方向に関する突出部１１Ｐの略対称形状に基づいて、尿取りパッド１は、その防漏効果を大きく損なうことなく所期の防漏性でもってそのまま着用されることができる。すなわち、当該尿取りパッド１によれば、フールプルーフ効果も奏することができる。
【００６６】
また、突出部１１Ｐは、幅方向の各端部として、長手方向に平行な一対の第１直線状部分１１Ｐ１，１１Ｐ１（直線状部分に相当）を幅方向に並んで有しているとともに、長手方向の各端部として、幅方向に平行な一対の第２直線状部分１１Ｐ２，１１Ｐ２を長手方向に並んで有している。例えば、各第１直線状部分１１Ｐ１，１１Ｐ１は、それぞれ略台形の断面形状を有し、この断面形状が長手方向に一定に維持されつつ、長手方向に平行に連続しており、また、各第２直線状部分１１Ｐ２，１１Ｐ２も、それぞれ略台形の断面形状を有し、この断面形状が幅方向に一定に維持されつつ、幅方向に平行に連続している。
【００６７】
よって、着用者が下着に尿取りパッド１を取り付ける際に、仮に、適正位置から長手方向のずれた位置に取り付けたとしても、当該一対の第１直線状部分１１Ｐ１，１１Ｐ１が奏し得る幅方向の尿の堰き止め効果は概ね変化せず、これにより、かかる位置ずれ時にも、所期の防漏性を奏することができる。
【００６８】
なお、上記のように、第１直線状部分１１Ｐ１の平面形状は、長手方向に平行な帯状であり、また、第２直線状部分１１Ｐ２の平面形状は、幅方向に平行な帯状である。つまり、第１直線状部分１１Ｐ１及び第２直線状部分１１Ｐ２のどちらも、それぞれ、肌側に帯状の頂面１１Ｐ１ｔ，１１Ｐ２ｔを有しているが、ここで、各頂面１１Ｐ１ｔ，１１Ｐ２ｔの幅寸は、例えば１０ｍｍ以上に設定されている。そして、このように設定されていれば、突出部１１Ｐまで到達した尿を確実に堰き止めることができる。  
また、図９Ｂ及び図９Ｃに示す突出部１１Ｐの突出高さＬ１１Ｐは、望ましくは０．５ｍｍ〜５ｍｍの範囲に設定され、より望ましくは、１．５ｍｍ〜３ｍｍの範囲に設定され、この例では、２．０ｍｍを目標値として設定されている。そして、このような範囲に設定されていれば、０．５ｍｍ未満の場合に起こり得る問題、すなわち、吸収前の尿を一時的に保管する空間の不足の問題を解決でき、また５．０ｍｍを超える場合に起こり得る問題、すなわち、着用者の肌と接触したときの違和感の問題を解決することができる。
【００６９】
ちなみに、本実施形態では、突出部１１Ｐの全周に亘って、突出部１１Ｐの突出高さＬ１１Ｐを一定にしているが、何等これに限らず、突出部１１Ｐの突出高さＬ１１Ｐを場所に応じて異ならせても良い。また、上記の突出高さＬ１１Ｐとは、突出部１１Ｐに一切の外力が作用しない無負荷状態（自然状態）での高さのことであるが、このことは、上記の突出部１１Ｐの幅寸についても同様である。
【００７０】
また、場合によっては、図９Ｂのように、第１直線状部分１１Ｐ１の頂面１１Ｐ１ｔの幅寸よりも第２直線状部分１１Ｐ２の頂面１１Ｐ２ｔの幅寸を大きくすると良く、このようにすれば、尿取りパッド１の長手方向に流れ易い尿を確実に堰き止めることができる。なお、この図９の例では、第１直線状部分１１Ｐ１の頂面１１Ｐ１ｔの幅寸は１５ｍｍとされ、第２直線状部分１１Ｐ２の頂面１１Ｐ２ｔの幅寸は５２ｍｍとされている。
【００７１】
このような突出部１１Ｐを有した吸収性コア１１の形成は、同コア１１の構成材料たる液体吸収性素材の坪量（ｇ／ｍ２）を、吸収性コア１１の肌側面上での位置に応じて異ならせることによって実現されている。すなわち、厚さ方向を法線方向とする平面上において、突出部１１Ｐを有しない位置の坪量よりも、突出部１１Ｐを有する位置の坪量の方が大きくなるように坪量の分布パターンが設計され、この分布パターンに基づいて液体吸収性素材が厚さ方向に積層されて当該吸収性コア１１が形成されている。
【００７２】
そして、このように形成されていれば、突出部１１Ｐを有しない位置たる突出部１１Ｐで囲まれた位置よりも、突出部１１Ｐを有する位置の方が、尿を吸収後の膨潤量が大きくなる。よって、当該尿の吸収後においても、突出部１１Ｐを有する位置の方がより大きく肌側に突出し、これにより、突出部１１Ｐで囲まれた空間ＳＰ１１を広い状態に維持することができる。そして、その結果、次回の排尿時にも、吸収性コア１１で瞬時に吸収し切れない分の尿を、同空間ＳＰ１１で何等問題無く一時貯留可能となる。
【００７３】
ここで、望ましくは、突出部１１Ｐを有する位置の坪量は、突出部１１Ｐを有しない位置の坪量の１．２〜４．０倍に設定されると良い。そして、このように設定されていれば、次のような問題を有効に回避可能となる。先ず１．２倍未満の場合には、突出部１１Ｐの突出高さＬ１１Ｐを大きく確保し難くなって十分な防漏性を奏し難くなるという問題を生じ、また、４．０倍を超える場合には、突出部１１Ｐを有する位置と突出部１１Ｐを有しない位置との間の剛性差が大きくなって尿取りパッド１の着用時に違和感を感じ易くなるという問題を生じるが、上記のように１．２〜４．０倍に設定されていれば、これらの問題を回避することができる。
【００７４】
ちなみに、具体的数値で言えば、例えば、突出部１１Ｐを有する位置の坪量は、５５０〜８５０（ｇ／ｍ２）の範囲に設定され、突出部１１Ｐを有さない位置の坪量は、２００〜５００（ｇ／ｍ２）の範囲に設定される。
【００７５】
次に、防漏壁部４０に対してなされた工夫について説明する。図５に示すように、防漏壁部４０が表面シート２１から起立し始める起立開始位置４１ｂｅは、防漏壁部４０に係る基端部４１ｂ（ハッチングを参照）のうちで幅方向の中央側の縁部４１ｂｅの位置となっているが、ここで本実施形態では、防漏壁部４０に係る工夫として、この起立開始位置４１ｂｅを、吸収性コア１１の突出部１１Ｐの第１直線状部分１１Ｐ１に対応する位置に設定している。詳しくは、第１直線状部分１１Ｐ１の頂面１１Ｐ１ｔの上に起立開始位置４１ｂｅが位置するように位置合わせしながら、防漏壁部４０の基端部４１ｂを表面シート２１に固定している。そして、このようにしていれば、防漏壁部４０と第１直線状部分１１Ｐ１とが互い協同して、高い堰として機能し得て、これにより、幅方向の防漏性をより高めることができる。
【００７６】
また、以前に図２を参照しながら、「自由端部分４１ｆのうちの前端部４１ｆａと後端部４１ｆｂとの間に位置する中間部分４１ｆｍが、弾性部材４５によって起立する」旨を前述したが（図２）、ここで、上記の中間部分４１ｆｍの長手方向の範囲を所定範囲Ｒｍとした場合に、望ましくは、同所定範囲Ｒｍ内に、吸収性コア１１の突出部１１Ｐの一対の第２直線状部分１１Ｐ２，１１Ｐ２（「突出部のうちの長手方向の各端部」に相当）の少なくとも一部が含まれていると良い。  
そして、このようにされていれば、弾性部材４５の収縮力によって、各第２直線状部分１１Ｐ２，１１Ｐ２がそれぞれ肌側に持ち上げられて、これにより、着用者の肌との間の隙間を縮小することができる。よって、長手方向に流れる尿を、各第２直線状部分１１Ｐ２，１１Ｐ２たる長手方向の各端部で確実に堰き止めることができる。
【００７７】
このような尿取りパッド１は、適宜な製造装置によって、例えば次のようにして製造される。  
先ず、積繊装置によって吸収性コア１１が生成される。詳しくは、積繊装置は、例えば上面を搬送面として搬送対象物を吸着しながら搬送するサクションベルトコンベアと、その上方に配されて回転する回転ドラムと、を有する。
【００７８】
回転ドラムは、外周面にへこみ部を有し、へこみ部は、液体吸収性素材を吸着する吸着機能を有する。また、へこみ部の底部には、更に深いへこみ部が、上記の吸収性コア１１の突出部１１Ｐに対応して形成されている。よって、適宜なダクトから散布される液体吸収性素材を、この外周面のへこみ部が吸着して堆積することにより、上述の環状の突出部１１Ｐを有した吸収性コア１１が生成される。そして、生成された吸収性コア１１は、サクションベルトコンベアによって、搬送方向の下流側へ送られる。
【００７９】
搬送方向の下流側の所定位置では、一対のサイドシート４１の連続体が組み付けられた表面シート２１の連続体が上方から合流する。すなわち、表面シート２１の連続体の幅方向の両側には、それぞれ各サイドシート４１の連続体が熱溶着等で固定されており、また、各サイドシート４１の連続体には、既に伸長状態の弾性部材４５，４５…が固定されている。そして、このような表面シート２１の連続体によって吸収性コア１１は上方から覆われた状態になる。そして、その後は、かかる吸収性コア１１と表面シート２１とが一体となって搬送方向に搬送されて、これにより、搬送方向の下流側のエンボスロール装置へと送られる。
【００８０】
エンボスロール装置は、例えば回転する上下一対のロールを有し、そのうちの上ロールの外周面には、第１圧搾部Ｅ１等の圧搾部Ｅに対応した形状の突起部が設けられている。よって、エンボスロール装置を通過する際に、表面シート２１の連続体と吸収性コア１１との両者には圧搾部Ｅが形成され、そして、更に搬送方向の下流側へ送られる。
【００８１】
搬送方向の下流側の所定位置では、下方から裏面シート３１の連続体が合流する。そして、吸収性コア１１を介して表面シート２１の連続体を裏面シート３１の連続体上に載置することにより、表面シート２１の連続体と裏面シート３１の連続体との間に吸収性コア１１が介挿された状態にし、かかる状態のまま、その下流のラウンドシール装置へと送られる。  
ちなみに、この時点では、既に裏面シート３１の非肌側面には、ホットメルト系接着剤が塗布などされていて、これにより、ずれ止め用粘着部３３，３３が形成済みである。また、かかるずれ止め用粘着部３３，３３の粘着性を保護する目的で、同粘着部３３，３３は剥離シート等の保護シートで覆われている。
【００８２】
ラウンドシール装置は、例えば回転する上下一対のロールを有し、そのうちの上ロールの外周面には、尿取りパッド１の輪郭形状に対応した形状の突起部が設けられている。よって、ラウンドシール装置を通過する際に、表面シート２１の連続体と裏面シート３１の連続体との両者は、尿取りパッド１における長手方向の各端部及び幅方向の各端部に相当する位置で互いに熱溶着等で接合される。そして、これにより、尿取りパッド１の連続体が生成され、かかる尿取りパッド１の連続体は、更に搬送方向の下流側のダイカッター装置へと送られる。
【００８３】
ダイカッター装置は、回転する一対のロールを有し、そのうちの一方のロールの外周面には、尿取りパッド１の輪郭形状に対応した形状の抜き刃を有している。よって、尿取りパッド１の連続体がダイカッター装置を通過する際に、抜き刃によって尿取りパッド１の連続体から尿取りパッド１が個別に打ち抜かれて、これにより、単票状の尿取りパッド１が生成される。
【００８４】
そして、最後に単票状の尿取りパッド１は四つ折りされるが、この四つ折りされる前の時点では、尿取りパッド１は、所謂縦流れ搬送されている。すなわち、尿取りパッド１の長手方向が搬送方向を向いた状態で搬送されている。そのため、四つ折り処理に対する予備処理として、先ず、尿取りパッド１の搬送形態を、横流れ搬送に変更する。すなわち、尿取りパッド１の幅方向が搬送方向を向くように９０°回転される。かかる９０°回転処理は、回転可能な保持パッドを外周面に有する回転ドラム装置によって行われる。そして、保持パッドの９０°回転によって横流れ搬送に変更された尿取りパッド１は、横流れ搬送されたまま、サクションベルトコンベアへと引き渡される。  
ここで、同コンベア上には、尿取りパッド１の各折り畳み線ＬＢ１，ＬＢ２，ＬＢ３にそれぞれ対応させて折り畳み板が配置されており、これら折り畳み板を通過する際に、各折り畳み板によって順次各折り畳み線ＬＢ１，ＬＢ２，ＬＢ３で折り畳まれて、その結果、尿取りパッド１は四つ折り状態となる。
【００８５】
ちなみに、ここでは説明を省略したが、この四つ折り処理の直前で、包装シートの連続体を合流させて、同包装シートの連続体で、尿取りパッド１を非肌側面から覆うようにし、この包装シートの連続体ごと尿取りパッド１を上記の各折り畳み板で四つ折りする。そして、しかる後に、搬送方向の下流のエンドシール装置へと送られる。
【００８６】
エンドシール装置は、回転する一対のロールを有し、そのうちの一方のロールの外周面には、突起部が設けられている。そして、包装シートの連続体のうちの尿取りパッド１，１同士の間の部分がエンドシール装置を通過する際に、当該部分が上記の突起部によって挟圧されて熱溶着され、これにより、尿取りパッド１，１同士の間の部分に仕切り部が形成され、その結果、各尿取りパッド１は包装シートの連続体に個別収容された状態になる。そして、搬送方向の下流のエンドカット装置へと送られる。
【００８７】
エンドカット装置は、回転する一対のロールを有し、そのうちの一方のロールの外周面には、カッター刃が設けられている。よって、エンドシール装置を通過する際に、包装シートの連続体は、上記エンドシール装置で熱溶着された部分たる上記仕切り部で分断されて、これにより、四つ折り状態の尿取りパッド１が個別包装されてなる尿取りパッド１の個別包装体が生成される。
【００８８】
図１０は、本実施形態の第１変形例の尿取りパッド１の概略平面図である。この第１変形例では、本体部１ｓに対して、第１及び第２圧搾部Ｅ１，Ｅ２とは別形態の圧搾部Ｅが追設されている点で主に相違し、これ以外の点は、上述の実施形態と概ね同じである。よって、以下では、この相違点について主に説明し、上述の実施形態と同じ構成については同じ符号を付して、その説明については省略する。
【００８９】
図１０に示すように、この第１変形例に係る本体部１ｓには、第１及び第２圧搾部Ｅ１，Ｅ２に加えて、更に別形態の圧搾部Ｅとして、第３圧搾部Ｅ３、第４圧搾部Ｅ４、及び第５圧搾部Ｅ５の三者が形成されている。
【００９０】
第３圧搾部Ｅ３は、第１圧搾部Ｅ１の幅方向の両側の位置において、長手方向に延びるように設けられている。そして、このような第３圧搾部Ｅ３が形成されていれば、第１圧搾部Ｅ１に加えて、第３圧搾部Ｅ３でも谷折りに折れ曲がる。よって、主に第１圧搾部Ｅ１の谷折りに基づいて非肌側にへこんでなる形状を、複数の谷折りで多段に折れ曲がった緩やかなへこみ形状にすることができて、その結果、本体部１ｓにおける幅方向の各端部１ｓＷｅｅ，１ｓＷｅｅ（図６）を、着用者の股間により沿わせ易くなる。なお、かかる第３圧搾部Ｅ３の形状は、長手方向に平行な直線状であっても良いし、長手方向に延びた曲線状であっても良いし、これら以外の形状でも良い。
【００９１】
第４圧搾部Ｅ４は、第３圧搾部Ｅ３よりも幅方向の中央側の位置において、長手方向の中央側から端側へ向かうに従って幅方向の中央側から端側へと延びるように設けられている。そして、このような第４圧搾部Ｅ４が形成されていれば、第１圧搾部Ｅ１及び第３圧搾部Ｅ３に加えて、第４圧搾部Ｅ４でも谷折りに折れ曲がる。よって、主に第１圧搾部Ｅ１及び第３圧搾部Ｅ３の谷折りに基づいて非肌側にへこんでなる形状を、更に多くの谷折りで多段に折れ曲がったより緩やかなへこみ形状にすることができて、その結果、本体部１ｓにおける幅方向の各端部１ｓＷｅｅ，１ｓＷｅｅ（図６）を、着用者の股間により一層沿わせ易くなる。なお、かかる第４圧搾部Ｅ４は、図１０のように第３圧搾部Ｅ３と連続して設けられても良いし、第３圧搾部Ｅ３と非連続に設けられても良い。また、第４圧搾部Ｅ３の形状は、同図１０のように、第４圧搾部Ｅ４が延びる方向に平行な直線状であっても良いし、適宜な曲線で規定される湾曲形状であっても良いし、これら以外の形状でも良い。
【００９２】
第５圧搾部Ｅ５は、第２圧搾部Ｅ２よりも幅方向の中央側の位置であって、第２圧搾部Ｅ２の長手方向の端部Ｅ２ｅの位置において、幅方向に延びるように設けられている。そして、このような第５圧搾部Ｅ５が形成されていれば、幅方向に延びる第５圧搾部Ｅ５で本体部１ｓが折れ曲がることにより、本体部１ｓのうちで第５圧搾部Ｅ５よりも長手方向の端側の部分たる前端部１ｓＬｅｅ及び後端部１ｓＬｅｅ（図６）を、長手方向と幅方向とで規定される平面に沿った平面状にすることができる。よって、当該前端部１ｓＬｅｅ及び後端部１ｓＬｅｅを、それぞれ下腹部又は臀部に確実に沿わせることができる。なお、場合によっては、かかる第５圧搾部Ｅ５が、第２圧搾部Ｅ２の上記の端部Ｅ２ｅの位置よりも若干長手方向の端側の位置に設けられていても良く、その場合も、上記の作用効果を奏することができる。また、かかる第５圧搾部Ｅ５は、第２圧搾部Ｅ２と連続して設けられても良いし、図１０のように第２圧搾部Ｅ２と非連続に設けられても良い。また、第５圧搾部Ｅ５の形状は、同図１０のように幅方向に平行な直線状であっても良いし、或いは、幅方向に延びた曲線状であっても良いし、これら以外の形状でも良い。
【００９３】
ちなみに、かかる第３乃至第５圧搾部Ｅ３，Ｅ４，Ｅ５の圧搾態様のバリエーションは、前述した第１及び第２圧搾部Ｅ１，Ｅ２の場合と同様であり、種々の圧搾態様を適用することができる。例えば、各圧搾部Ｅ３，Ｅ４，Ｅ５が、それぞれ一本の連続した長尺な溝部として形成されても良いし、或いは、複数の短尺な溝部が離散的に並んだものとして形成されていても良いし、更には、複数の島状のへこみ部で形成されていても良い。ちなみに、各へこみ部の底面の形状については、円形や矩形等を例示できる。
【００９４】
また、場合によっては、第５圧搾部Ｅ５のみが追設され、第３及び第４圧搾部Ｅ３，Ｅ４は追設されなくても良いし、或いは、第３及び第４圧搾部Ｅ３，Ｅ４のみが追設され、第５圧搾部Ｅ５は追設されなくても良く、更には、第３圧搾部Ｅ３が追設された場合に、第４圧搾部Ｅ４は追設されなくても良い。
【００９５】
図１１は、本実施形態の第２変形例の尿取りパッド１の概略平面図である。上述の実施形態では、図２に示すように、第１圧搾部Ｅ１は、長手方向に偏り無く形成されていた。すなわち、第１圧搾部Ｅ１の前端Ｅ１ｅａ（「一方の端」に相当）と、同後端Ｅ１ｅｂ（「他方の端」に相当）とは、互いに本体部１ｓの長手方向の中央位置ＣＬＬから等距離とされ、また、これに伴って、前側の部分１ｓＬｅに形成される第２圧搾部Ｅ２，Ｅ２と、後側の部分１ｓＬｅに形成される第２圧搾部Ｅ２，Ｅ２とは、互いに同中央位置ＣＬＬから等距離とされていた。  
この点につき、この第２変形例では、第１圧搾部Ｅ１が、長手方向の前側に偏在されている点、及び、これに伴って、本体部１ｓにおける第２圧搾部Ｅ２，Ｅ２の位置が、上述の実施形態（図２）よりも前方にシフトしている点で主に相違する。なお、これ以外の点は、上述の実施形態と概ね同じである。よって、以下では、この相違点について主に説明し、上述の実施形態と同じ構成については同じ符号を付して、その説明については省略する。
【００９６】
図１１に示すように、この第２変形例では、第１圧搾部Ｅ１の前端Ｅ１ｅａ（「一方の端」に相当）の方が、第１圧搾部Ｅ１の後端Ｅ１ｅｂ（「他方の端」に相当）よりも本体部１ｓの長手方向の中央位置ＣＬＬから離れている。また、これに伴って、前側の部分１ｓＬｅに形成される第２圧搾部Ｅ２，Ｅ２の方が、後側の部分１ｓＬｅに形成される第２圧搾部Ｅ２，Ｅ２よりも、同中央位置ＣＬＬから離れている。  
そして、このような位置関係にされていれば、着用者の排尿器が対向すべき前方に偏って本体部１ｓに第１圧搾部Ｅ１及び第２圧搾部Ｅ２，Ｅ２が形成された状態になる。そのため、前述の股締め力Ｆが作用した際には、本体部１ｓのうちの前側の部分に対して優先的に、非肌側にへこんだ空間が形成されて、これにより、排尿器から排出される尿を確実に一時貯留可能となる。また、上記の第１圧搾部Ｅ１及び第２圧搾部Ｅ２，Ｅ２の形成位置の前方への偏りに基づいて、本体部１ｓのうちの後端部１ｓＬｅｅには、非肌側にへこんだ空間が形成され難くなって、つまり、当該後端部１ｓＬｅｅは、長手方向と幅方向とで規定される平面に沿った平面状になり易い。よって、当該後端部１ｓＬｅｅについては、着用者の臀部にしっかりと沿わせることができる。
【００９７】
図１２は、本実施形態の第３変形例の尿取りパッド１の説明図である。なお、同図１２は、図２中のＢ−Ｂ断面図に相当する図である。  
上述の実施形態の吸収性コア１１の構造は、吸収性コア１１を一つだけ有した単層構造であったが、この点につき、この第３変形例の吸収性コア１１の構造は、図１２に示すように、厚さ方向に複数の一例としての二つの吸収性コア１１，１１が重ね合わせられてなる二層構造である点で相違する。なお、これ以外の点は、上述の実施形態と概ね同じである。よって、以下では、上述の実施形態と同じ構成については同じ符号を付して、その説明については省略する。
【００９８】
図１２に示すように、二つの吸収性コア１１，１１の各平面形状は、互いにほぼ同形であり、また、どちらの吸収性コア１１，１１も、その外周縁部の全周に亘って厚さ方向の肌側に突出する環状の突出部１１Ｐを有している。そして、互いの外周縁部同士が重なるように位置合わせされながら、二つの吸収性コア１１，１１は、厚さ方向に重ね合わせられている。なお、ティッシュペーパー等の液透過性シートで被覆される場合には、これら二つの吸収性コア１１，１１が重なった状態で二つ一緒に同シートに覆われる。
【００９９】
そして、かかる第３変形例によれば、突出部１１Ｐの吸液可能容量を高く確保しながら、着用時の突出部１１Ｐによる違和感についても抑制することができる。詳しくは次の通りである。突出部１１Ｐの突出高さＬ１１Ｐが高い場合には、突出部１１Ｐが着用者の股間に強く当たるなどして、着用者は違和感を感じ易い。一方、突出部１１Ｐの突出高さＬ１１Ｐを低くすると、突出部１１Ｐの吸液可能容量が低くなる恐れがある。ここで、着用時に股間に当たるのは、最も肌側に位置する吸収性コア１１だけである。よって、各吸収性コア１１，１１の突出部１１Ｐの突出高さＬ１１Ｐを例えば半分に低くしながら、当該突出高さＬ１１Ｐを低くした吸収性コア１１，１１を厚さ方向に二つ重ね合わせれば、突出部１１Ｐ，１１Ｐの突出高さＬ１１Ｐの合計値で概ね決まる吸液可能容量を高く維持しながら、一つの吸収性コア１１の突出部１１Ｐの突出高さＬ１１Ｐで概ね決まる股間の違和感を抑制することができる。
【０１００】
ちなみに、この第３変形例では、液体吸収性素材の坪量の分布パターンを二つの吸収性コア１１，１１同士で互いに同じにしているが、何等これに限らず、場合によっては、相違させても良い。また、突出部１１Ｐの突出高さＬ１１Ｐについても、二つの吸収性コア１１，１１同士で互いに同じにしているが、何等これに限らず、場合によっては、相違させても良い。更に、吸収性コア１１，１１…を三つ以上厚さ方向に重ね合わせても良い。
【０１０１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１０２】
上述の実施形態では、下着に取り付けられて使用される吸収性物品の一例として、尿取りパッド１を挙げたが、何等これに限らない。例えば、尿に代えて経血を吸収する生理用ナプキンであっても良い。
【０１０３】
上述の実施形態では、図２に示すように、尿取りパッド１の本体部１ｓのうちで長手方向の中央部１ｓＬｃよりも前側の部分１ｓＬｅ及び後側の部分１ｓＬｅの両方に、それぞれ第２圧搾部Ｅ２，Ｅ２が形成されていたが、何等これに限らない。すなわち、かかる第２圧搾部Ｅ２，Ｅ２が、前側の部分１ｓＬｅ及び後側の部分１ｓＬｅのうちの一方にだけ形成されていても良い。  
但し、その場合には、両方に形成した場合と比べると、尿取りパッド１に股締め力Ｆが作用した際の本体部１ｓのカップ形状へのなり易さが、多少損なわれる。そのため、望ましくは、前側の部分１ｓＬｅ及び後側の部分１ｓＬｅの両方に第２圧搾部Ｅ２，Ｅ２が形成されていると良い。ちなみに、どちらか一方に形成される場合には、長手方向の後側の部分１ｓＬｅに形成されるのが好ましい。そして、このようにされていれば、当該後側の部分１ｓＬｅが、概ね長手方向と幅方向とで規定される平面に沿った平面状になって臀部に密着するので、後方からの尿漏れを確実に防ぐことができるとともに、着用者が臀部でかく汗も有効に吸い取ることができる。
【０１０４】
上述の実施形態では、一対の第２圧搾部Ｅ２，Ｅ２同士を互いに同形状にしていたが、何等これに限らず、互いに異なる形状にしても良い。すなわち、請求項に係る「第２圧搾部は、幅方向に一対並んで設けられている」に記載の「一対」の意味は、通常そうであるように、「二つそろって、ひと組として扱われるもの」の意味である。従って、二つのうちの一方の第２圧搾部Ｅ２が、本体部１ｓのうちの左半部に、長手方向の中央側から端側へ向かうに従って幅方向の中央側から左側へ向かうように形成され、他方、もう一方の第２圧搾部Ｅ２が、本体部１ｓのうちの右半部に、長手方向の中央側から端側へ向かうに従って幅方向の中央側から右側へ向かうように形成されていれば、これら二つの第２圧搾部Ｅ２，Ｅ２同士の形状が多少異なっていたとしても、その構成も、本発明の範囲に含まれる。例えば、第２圧搾部Ｅ２，Ｅ２同士で、互いの全長寸法を異ならせても良いし、互いの幅寸を異ならせても良いし、更には、幅方向の中央線ＣＬＷに対する第２圧搾部Ｅ２の傾斜角度を互いに異ならせても良い。  
なお、「一対」の意味を上記のように解釈すべきことは、本明細書中の他の構成の記載についても同様である。例えば、請求項に係る「一対の直線状部分を前記幅方向に並んで有し」に記載の「一対」の意味も、「二つそろって、ひと組として扱われるもの」の意味である。従って、一方の第１直線状部分１１Ｐ１の断面形状を台形にして他方を矩形にするというように互いの断面形状を異ならせても、本発明の範囲に含まれるし、または、頂面１１Ｐ１ｔの幅寸を、両者１１Ｐ１，１１Ｐ１同士で互いに異ならせたり、突出高さＬ１１Ｐ１を、両者１１Ｐ１，１１Ｐ１同士で互いに異ならせたりしても、本発明の範囲に含まれる。
【０１０５】
上述の実施形態では、図２に示すように、第２圧搾部Ｅ２は、長手方向の中央側から端側へ向かうに従って幅方向の中央側から端側へ向かうように直線状に延出してなる直線状部分Ｅ２Ｌと、この直線状部分Ｅ２Ｌの延出端部でフック状に反転してなるフック状部分Ｅ２Ｆとを組み合わせて形成されているが、その形状は何等上記に限らない。例えば、直線状部分Ｅ２Ｌは、若干湾曲していても良いし、フック状部分Ｅ２Ｆについては、無くても良い。但し、フック状部分Ｅ２Ｆが有った方が、フック状部分Ｅ２Ｆよりも若干長手方向の端側の位置を折れ線として、本体部１ｓが折れ易くなる。そして、これにより、本体部１ｓのうちの第２圧搾部Ｅ２よりも長手方向の端側の部分、すなわち前端部１ｓＬｅｅ及び後端部１ｓＬｅｅが、長手方向と幅方向とで規定される平面に沿った平面状になり易くなる。
【０１０６】
上述の実施形態では、図９Ａ乃至図９Ｃに示すように、吸収性コア１１は、その外周面部に沿って環状に突出部１１Ｐを有していたが、何等これに限らず、かかる突出部１１Ｐを有していなくても良い。すなわち、吸収性コア１１が、その肌側面に亘って略一定厚さの平板状に形成されていても良い。
【０１０７】
上述の実施形態では、図９Ｂ及び図９Ｃに示すように、吸収性コア１１の突出部１１Ｐに係る第１直線状部分１１Ｐ１及び第２直線状部分１１Ｐ２の断面形状を、台形形状にしていたが、何等これに限らない。例えば、長方形や正方形にしても良い。また、上述の実施形態では、第１直線状部分１１Ｐ１の略台形の断面形状が、長手方向に亘って維持されていたが、場合によっては、長手方向の位置に応じて断面形状が若干変化していても良い。すなわち、第１直線状部分１１Ｐ１の帯状の頂面１１Ｐ１ｔが、長手方向に平行であって、同頂面１１Ｐ１ｔの幅寸が長手方向に亘って一定であれば、下着上の適正位置から尿取りパッド１が長手方向に位置ずれした際に、概ね所期の防漏性を確保することができる。
【符号の説明】
【０１０８】
１  尿取りパッド（吸収性物品）、
１ｓ  本体部、１ｓＣ  中央部、
１ｓＬｃ  中央部、
１ｓＬｅ  前側の部分（中央部よりも長手方向の端側の部分）、
１ｓＬｅ  後側の部分（中央部よりも長手方向の端側の部分）、
１ｓＬｅｅ  前端部、１ｓＬｅｅ  後端部、
１ｓＷｃ  中央部、１ｓＷｅｅ  端部、
１１  吸収性コア、１１Ｃ  中央部、
１１Ｐ  突出部、
１１Ｐ１  第１直線状部分（直線状部分）、１１Ｐ１ｔ  頂面、
１１Ｐ２  第２直線状部分、１１Ｐ２ｔ  頂面、
２１  表面シート、３１  裏面シート、
３３  ずれ止め用粘着部（粘着部）、
４０  防漏壁部、
４１  サイドシート、
４１ｂ  基端部、４１ｂ１  前端部、４１ｂ２  後端部、４１ｂ３  中間部、
４１ｂｅ  縁部、
４１ｆ  自由端部分、４１ｆａ  前端部、４１ｆｂ  後端部、４１ｆｍ  中間部分、
４１ｓ  部分、
４５  弾性部材、
Ｅ  圧搾部、
Ｅ１  第１圧搾部、Ｅ１ｅａ  前端（一方の端）、Ｅ１ｅｂ  後端（他方の端）、
Ｈ１  溝部、
Ｅ２  第２圧搾部、Ｅ２ｅ  端部、Ｅ２Ｌ  直線状部分、Ｅ２Ｆ  フック状部分、
Ｅ３  第３圧搾部、Ｅ４  第４圧搾部、Ｅ５  第５圧搾部、
Ｒｍ  所定範囲、
ＣＬＬ  長手方向の中央線（長手方向の中央位置）、ＣＬＷ  幅方向の中央線、
ＬＢ１  折り畳み線、ＬＢ２  折り畳み線、ＬＢ３  折り畳み線、
ＬＥ２  外挿線、ＳＰ１１  空間、
【図１】
2014226458.tif 000003
【図２】
2014226458.tif 000004
【図３】
2014226458.tif 000005
【図４】
2014226458.tif 000006
【図５】
2014226458.tif 000007
【図６】
2014226458.tif 000008
【図７】
2014226458.tif 000009
【図８】
2014226458.tif 000010
【図９】
2014226458.tif 000011
【図１０】
2014226458.tif 000012
【図１１】
2014226458.tif 000013
【図１２】
2014226458.tif 000014